(57)【要約】【課題】糸立装置の使用が可能な状態とするための操作が容易なミシンを提供する。【解決手段】ミシン１Ａは、ベッド部１１、ベッド部１１から上側に向けて延びる脚柱部１２、脚柱部１２からベッド部１１と平行に延びるアーム部１３、アーム部１３に設けられ、閉位置と開位置との間で回動可能なカバー３であって、閉位置は、カバー３の表面の一部である基面３Ａがアーム部１３の上側と対向し、アーム部１３の上側を基面３Ａが覆う位置であり、開位置は、基面３Ａが上側を向き、アーム部１３の上側を基面３Ａが覆わない位置であるカバー３と、基面３Ａに設けられ、糸立棒５Ａ、５Ｂを有する糸立装置５であって、カバー３が開位置にある状態で、糸立棒５Ａ、５Ｂのそれぞれに糸駒を保持することが可能となる糸立装置５とを備えている。【選択図】図８
2019208548.tif 000002
【特許請求の範囲】
【請求項１】
ベッド部と、
前記ベッド部から上方へ延びる脚柱部と、
前記脚柱部の上端部から前記ベッド部に平行に延びるアーム部と、
前記アーム部に設けられ、閉位置と開位置との間で回動可能なカバーであって、
前記閉位置は、前記カバーの表面の一部である基面が前記アーム部の上側と対向し、前記アーム部の上側を前記基面が覆う位置であり、
前記開位置は、前記基面が上側を向き、前記アーム部の上側を前記基面が覆わない位置である
前記カバーと、
前記基面に設けられ、少なくとも１つの糸立棒を有する糸立装置であって、前記カバーが前記開位置にある状態で、前記少なくとも１つの糸立棒のそれぞれに糸駒を保持することが可能となる糸立装置と
を備えたことを特徴とするミシン。
【請求項２】
前記カバーの前記基面に設けられた第１取付部と、
前記糸立装置に設けられた第２取付部と
を備え、
前記糸立装置は、
前記第２取付部が前記第１取付部に取り付けられることにより、前記カバーに装着され、
前記第２取付部が前記第１取付部から取り外されることにより、前記カバーから脱離されることを特徴とする請求項１に記載のミシン。
【請求項３】
前記第１取付部及び前記第２取付部の少なくとも一方は磁石であり、
前記第１取付部と前記第２取付部との間に作用する前記磁石の磁力により、前記第２取付部が前記第１取付部に取り付けられることを特徴とする請求項２に記載のミシン。
【請求項４】
前記基面及び前記糸立装置の少なくとも一方は、前記基面に対して前記糸立装置を位置決めする位置決め部材を更に有することを特徴とする請求項２又は３に記載のミシン。
【請求項５】
前記位置決め部材は、
前記基面及び前記糸立装置のうち一方に設けられた第１凸部と、前記基面及び前記糸立装置のうち他方に設けられた第１溝とを有し、
前記第１溝に前記第１凸部が係合することにより、前記基面に対して前記糸立装置を位置決めすることを特徴とする請求項４に記載のミシン。
【請求項６】
前記糸立装置は、
前記少なくとも１つの糸立棒が設けられる糸立台を更に有し、
前記少なくとも１つの糸立棒は、それぞれ、
前記カバーが前記開位置に配置された状態で、前記糸立台から上側に延びた第１位置と、前記アーム部の延びる方向に沿って延びた第２位置とに切り替え可能であることを特徴とする請求項１から５の何れかに記載のミシン。
【請求項７】
前記カバーは、
前記基面から突出する第２凸部を有し、
前記糸立装置は、
前記少なくとも１つの糸立棒が設けられる糸立台を有し、
前記少なくとも１つの糸立棒は、それぞれ、
前記カバーが前記開位置に配置された状態で、前記糸立台から上側に延びた第１位置と、前記アーム部の延びる方向に沿って延びた第２位置とに切り替え可能であり、
前記第２位置に配置された前記少なくとも１つの糸立棒のそれぞれが進入する第２溝と、
前記第２位置に配置された前記少なくとも１つの糸立棒に対して前記第１位置に向かう方向の力を伝達可能な伝達部であって、前記糸立装置が前記カバーに装着された場合において一部が前記第２凸部に接触し、他部が前記第２溝から突出することにより、前記力を伝達する前記伝達部と
を備えたことを特徴とする請求項２から５の何れかに記載のミシン。
【請求項８】
前記カバーは、
前記基面から突出する第２凸部を有し、
前記糸立装置は、
前記少なくとも１つの糸立棒が設けられる糸立台を有し、
前記少なくとも１つの糸立棒は、それぞれ、
前記カバーが前記開位置に配置された状態で、前記糸立台から上側に延びた第１位置と、前記アーム部の延びる方向に沿って延びた第２位置とに切り替え可能であり、
前記第２位置に配置された前記少なくとも１つの糸立棒のそれぞれが進入する第２溝と、
前記糸立装置が前記カバーに装着された場合において前記第２凸部が挿通する第１開口と、前記第２溝に形成される第２開口との間に亙って延びる貫通孔と
を備えたことを特徴とする請求項２から５の何れかに記載のミシン。
【請求項９】
前記少なくとも１つの糸立棒は、２つの糸立棒であり、
前記２つの糸立棒がそれぞれ前記第１位置に配置された状態で、
前記アーム部の延びる方向に並んで配置され、
前記２つの糸立棒の一方は、前記２つの糸立棒の他方に対して、前記アーム部の延びる方向の一方側に配置され、
前記２つの糸立棒がそれぞれ前記第２位置に配置された状態で、
前記２つの糸立棒の一方は、前記糸立台との接続部分から、前記アーム部の延びる方向の他方側に向けて延び、
前記２つの糸立棒の他方は、前記糸立台との接続部分から、前記アーム部の延びる方向の一方側に向けて延びることを特徴とする請求項６から８の何れかに記載のミシン。
【請求項１０】
前記少なくとも１つの糸立棒は、２つの糸立棒であり、
前記アーム部は、
前記２つの糸立棒のそれぞれに保持された前記糸駒から繰り出される縫糸を案内する第１糸案内部であって、前記アーム部の延びる方向と平行な方向において前記２つの糸立棒の間に配置された前記第１糸案内部を更に備えたことを特徴とする請求項１から９の何れかに記載のミシン。
【請求項１１】
前記カバーは、
前記アーム部の延びる方向と平行な回転軸を中心として、前記アーム部に回動可能に設けられ、
前記少なくとも１つの糸立棒は、前記カバーが前記開位置に配置された状態で、
前記脚柱部及び前記アーム部のそれぞれの延びる方向と直交する方向において、前記カバーの中央に対して前記回転軸側に配置されたことを特徴とする請求項１から１０の何れかに記載のミシン。
【請求項１２】
前記糸立装置は、
前記少なくとも１つの糸立棒が設けられる糸立台と、
前記カバーが前記開位置に配置された状態で、前記少なくとも１つの糸立棒のそれぞれに保持された前記糸駒から繰り出される縫糸を上側に案内する少なくとも１つの第２糸案内部と、
前記カバーが前記開位置に配置された状態で、前記糸立台から上方に離隔した位置に前記少なくとも１つの第２糸案内部を保持するための糸案内棒と
を更に有し、
前記糸案内棒は、
前記糸立台から上側に延びた第３位置と、前記アーム部の延びる方向に沿って延びた第４位置とに切り替え可能であることを特徴とする請求項１から１１の何れかに記載のミシン。
【請求項１３】
前記少なくとも１つの糸立棒は、前記基面と交差して前記脚柱部と平行な方向に延びることを特徴とする請求項１から１２の何れかに記載のミシン。
【発明の詳細な説明】
【技術分野】
【０００１】
本発明は、ミシンに関する。
【背景技術】
【０００２】
糸立装置の装着が可能なミシンが公知である。特許文献１に記載のミシンは、アーム部の一部を開閉可能に覆うカバー部材を有する。カバー部材は、アーム部に設けられた取付部に着脱可能且つ回動可能に取り付けられる。ミシンに糸立装置が装着される場合、はじめにアーム部からカバー部材が取り外される。これにより、取付部は露出する。次に、露出した取付部に対して糸立装置が装着される。
【先行技術文献】
【特許文献】
【０００３】
【特許文献１】特開２０１５−１５９９４６号公報
【発明の概要】
【発明が解決しようとする課題】
【０００４】
上記ミシンでは、糸立装置をミシンに装着するためにカバー部材をアーム部から取り外す必要がある。このため、ミシンを糸立装置の使用が可能な状態とするための操作が煩わしいという問題点がある。
【０００５】
本発明の目的は、糸立装置の使用が可能な状態とするための操作が容易なミシンを提供することである。
【課題を解決するための手段】
【０００６】
本発明に係るミシンは、ベッド部と、前記ベッド部から上方へ延びる脚柱部と、前記脚柱部の上端部から前記ベッド部に平行に延びるアーム部と、前記アーム部に設けられ、閉位置と開位置との間で回動可能なカバーであって、前記閉位置は、前記カバーの表面の一部である基面が前記アーム部の上側と対向し、前記アーム部の上側を前記基面が覆う位置であり、前記開位置は、前記基面が上側を向き、前記アーム部の上側を前記基面が覆わない位置である前記カバーと、前記基面に設けられ、少なくとも１つの糸立棒を有する糸立装置であって、前記カバーが前記開位置にある状態で、前記少なくとも１つの糸立棒のそれぞれに糸駒を保持することが可能となる糸立装置とを備えたことを特徴とする。
【０００７】
本発明によれば、ミシンは、カバーの基面に糸立装置を有する。糸立装置は、カバーが開位置に配置された状態で、糸立棒に糸駒を保持できる。つまり、ミシンでは、糸立装置を装着するためにアーム部からカバーを取り外す必要がない。このため使用者は、ミシンを、糸立装置の使用が可能な状態とすることが容易に可能となる。
【図面の簡単な説明】
【０００８】
【図１】カバー３が閉位置に配置されたミシン１Ａの斜視図である。
【図２】カバー３が開位置に配置されたミシン１Ａの斜視図である。
【図３】カバー３が開位置に配置されたミシン１Ａの平面図である。
【図４】糸立棒５Ａ、５Ｂが第１位置、糸案内棒５７が第３位置、支持棒５８が第５位置にそれぞれ配置された糸立装置５の斜視図である。
【図５】糸立棒５Ａ、５Ｂが第２位置、糸案内棒５７が第４位置、支持棒５８が第６位置にそれぞれ配置された糸立装置５の斜視図である。
【図６】糸立装置５の底面図である。
【図７】糸立棒５Ａ、５Ｂが第２位置、糸案内棒５７が第４位置、支持棒５８が第６位置にそれぞれ配置された糸立装置５が装着されたミシン１Ａの斜視図である。
【図８】糸立棒５Ａ、５Ｂが第１位置、糸案内棒５７が第３位置、支持棒５８が第５位置にそれぞれ配置された糸立装置５が装着されたミシン１Ａの斜視図である。
【図９】糸立棒５Ａ、５Ｂが第１位置、糸案内棒５７が第３位置、支持棒５８が第５位置にそれぞれ配置された糸立装置５が装着されたミシン１Ａの平面図である。
【図１０】第１変形例において、糸立棒５Ｂが第２位置に配置された糸立装置６、及びカバー３の断面図である。
【図１１】第１変形例において、糸立棒５Ｂが第１位置に配置された糸立装置６、及びカバー３の断面図である。
【図１２】糸立棒５Ａ、５Ｂが第２位置、糸案内棒５７が第４位置、支持棒５８が第６位置にそれぞれ配置された糸立装置７を含むミシン１Ｃの斜視図である。
【図１３】糸立棒５Ａ、５Ｂが第１位置、糸案内棒５７が第３位置、支持棒５８が第３位置にそれぞれ配置された糸立装置７を含むミシン１Ｃの斜視図である。
【発明を実施するための形態】
【０００９】
本発明の実施形態を、図面を参照して説明する。図１の上下方向、左下方、右上方、左上方、右下方が、各々、ミシン１Ａの上下方向、前方、後方、左方、右方である。ベッド部１１及びアーム部１３の長手方向がミシン１Ａの左右方向である。脚柱部１２が配置されている側が右側である。脚柱部１２の伸長方向がミシン１Ａの上下方向である。
【００１０】
＜ミシン１Ａの概略構成＞
図１、図２に示すように、ミシン１Ａは、ベッド部１１、脚柱部１２、アーム部１３、及び頭部１４を備える。ベッド部１１は、左右方向に延びるミシン１Ａの土台部である。脚柱部１２は、ベッド部１１の右端部から上方へ延びる。アーム部１３は、脚柱部１２の上端部から左側に向けて、ベッド部１１と平行に延びる。頭部１４は、アーム部１３の左端部に連結する。頭部１４の下端部から下側に向けて、針棒及び押え棒が延びる。針棒の下端には縫針が着脱可能に装着される。押え棒の下端部には押え足１４Ａが着脱可能に装着される。
【００１１】
ミシン１Ａは、ベッド部１１内に、図示しない送り歯、送り機構、及び釜機構等を備える。送り歯は、送り機構によって駆動され、被縫製物を所定の移動量で移動させる。釜機構は、ベッド部１１の上面に設けられた針板１１Ａの下方において上糸（図示略）を下糸（図示略）に絡ませる。脚柱部１２は、内部にミシンモータ（図示略）を備える。
【００１２】
アーム部１３の上部には、開閉可能なカバー３が設けられる。図２、図３に示すように、カバー３は、アーム部１３の後端部に設けられたヒンジ１５Ａ、１５Ｂに接続する。ヒンジ１５Ａ、１５Ｂにより、カバー３は、左右方向に延びる回転軸Ｘ１を中心としてアーム部１３に回動可能に支持される。図１は、カバー３が閉じた状態を示す。閉じた状態におけるカバー３の位置を、「閉位置」という。図２、図３は、カバー３が開いた状態を示す。開いた状態におけるカバー３の位置を、「開位置」という。カバー３の詳細は後述する。
【００１３】
図２、図３に示すように、アーム部１３の上側の面（「上面１３Ａ」という。）に、略Ｕ字状を有するハンドル９の２つの端部９Ａ、９Ｂが回転可能に支持される。図２、図３は、ハンドル９が倒れた状態を示す。この状態で、端部９Ａ、９Ｂはそれぞれ、上面１３Ａに支持された部分から後側に延びる。端部９Ａは、端部９Ｂに対して左側に離隔する。なお、ハンドル９は、図２、図３に示す状態から、右側から見た状態で反時計回り方向に回転することによって起こされる。この状態で、使用者はハンドル９を把持してミシン１Ａを持ち上げることが可能となる。
【００１４】
上面１３Ａには更に、糸収容部１６が設けられる。糸収容部１６は、下側に凹んだ形状を有する。糸収容部１６には、上糸が巻回された糸駒（図示略）を収容可能である。糸収容部１６の右側の内壁面に糸立棒１６Ａが設けられる。糸立棒１６Ａは、糸収容部１６の右側の内壁面から左側に向けて延びる。糸駒は、糸立棒１６Ａに挿入孔が挿入されることによってミシン１Ａに装着される。上面１３Ａのうち糸収容部１６の左側に、第３糸案内部１７が設けられる。第３糸案内部１７は屈曲した溝である。第３糸案内部１７は、糸収容部１６に収容された糸駒から引き出された上糸を、縫針まで案内する。アーム部１３内部には、左右方向に延びる主軸（図示略）が設けられる。主軸は、ミシンモータにより回転駆動される。上面１３Ａには更に、糸収容部１６の後側に第１糸案内部１８が設けられる。第１糸案内部１８はフックである。第１糸案内部１８は、後述する糸立装置５（図４、図５等参照）に装着された糸駒から繰り出される上糸を引掛けて、第３糸案内部１７に向けて案内する。
【００１５】
頭部１４には、針棒上下動機構（図示略）及び押え足上下動機構（図示略）が設けられている。針棒上下動機構は、主軸の回転に応じ、縫針が装着された針棒を上下方向に駆動させる。押え足上下動機構は、主軸の回転に応じ、押え足１４Ａが装着された押え棒を上下方向に駆動させる。
【００１６】
＜カバー３＞
図１〜図３に示すように、カバー３は、板部３０Ａ、３０Ｂを有する。板部３０Ａは、左右方向に長い長方形である。板部３０Ｂは、板部３０Ａの周端部から、板部３０Ａと交差する方向に延びる。カバー３には、閉位置に配置された状態（図１参照）でハンドル９の端部９Ａが通過する貫通孔９０Ａ、及び、ハンドル９の端部９Ｂが通過する貫通孔９０Ｂが形成される。
【００１７】
図１に示すように、カバー３が閉位置に配置された状態で、板部３０Ａは上下方向と直交する。板部３０Ａの下面は、アーム部１３の上面１３Ａ（図２参照）に対して上側に対向する。以下、板部３０Ａの一方側の面であって、カバー３が閉位置に配置された状態でアーム部１３の上面１３Ａに対向する面（即ち、図１における下側の面）を、基面３Ａ（図２参照）という。カバー３が閉位置に配置された状態で、基面３Ａは上面１３Ａを上側から覆う。なお、カバー３が閉位置に配置された状態の態様は、本実施形態に限定されない。例えば、カバー３が閉位置に配置された状態で、基面３Ａは下側を向き、アーム部１３の上面１３Ａの一部分のみを上側から覆っていてもよい。つまり、カバー３が閉位置に配置された場合、基面３Ａは下側を向き、アーム部１３の上面１３Ａの少なくとも一部分を上側から覆っていればよい。
【００１８】
カバー３は、閉位置から、回転軸Ｘ１（図２参照）を中心として、右側から見た状態で時計回り方向に１８０度回転することで、開位置に配置される。図２に示すように、カバー３が開位置に配置された状態で、板部３０Ａは上下方向と直交する。基面３Ａは上側を向く。基面３Ａはアーム部１３の上面１３Ａを覆わず、上面１３Ａは露出する。以下、理解を容易とするために、特に説明のない限り、カバー３が開位置に配置された状態を前提とし、ミシン１Ａの各方向をカバー３に適用する。
【００１９】
図３に示すように、基面３Ａのうち左右方向において貫通孔９０Ａ、９０Ｂの間の部分に、第１凸部３１Ａ、３１Ｂ、及び磁石３３Ａ、３３Ｂが設けられる。第１凸部３１Ａ、３１Ｂは、基面３Ａから上側に突出する。磁石３３Ａ、３３Ｂは、基面３Ａに固定される。
【００２０】
第１凸部３１Ａは、ヒンジ１５Ａをカバー３に取り付けるためのリブである。第１凸部３１Ａは、基面３Ａの前側の端部、且つ、貫通孔９０Ａよりも右側に設けられる。第１凸部３１Ｂは、ヒンジ１５Ｂをカバー３に取り付けるためのリブである。第１凸部３１Ｂは、基面３Ａの前側の端部、且つ、貫通孔９０Ｂよりも左側に設けられる。第１凸部３１Ａ、３１Ｂはそれぞれ板状を有する。第１凸部３１Ａ、３１Ｂは、左右方向と直交する。第１凸部３１Ａ、３１Ｂは左右方向に並ぶ。第１凸部３１Ａは、第１凸部３１Ｂに対して左側に配置される。
【００２１】
磁石３３Ａは、左右方向において第１凸部３１Ａよりも右側に設けられる。磁石３３Ａは、基面３Ａの前後方向中央部近傍に配置される。磁石３３Ｂは、左右方向において第１凸部３１Ｂと略同一位置に設けられる。磁石３３Ｂは、基面３Ａの前後方向中央部近傍に配置される。磁石３３Ａ、３３Ｂは、左右方向に並ぶ。以下、磁石３３Ａ、３３Ｂを総称して「第１取付部３３」という。
【００２２】
＜糸立装置５＞
図４〜図６を参照し、糸立装置５について説明する。糸立装置５は、２つの糸駒を保持し且つそれぞれの上糸をミシン１Ａに繰り出すことが可能である。糸立装置５は、開位置に配置されたカバー３に装着されて使用される（図７、図８参照）。以下、理解を容易とするために、特に説明のない限り、開位置に配置されたカバー３に糸立装置５が装着された状態を前提とし、ミシン１Ａの各方向を糸立装置５に適用する。
【００２３】
図４、図５に示すように、糸立装置５は糸立台５０を有する。糸立台５０は、左右方向に長い長方形の板状を有する。糸立装置５には、糸立棒５Ａ、５Ｂ（図４、図５参照）、糸案内機構５Ｃ（図４、図５参照）、第１溝５１Ａ、５１Ｂ（図６参照）、磁石５３Ａ、５３Ｂ（図６参照）、及び第２溝５６Ａ、５６Ｂ（図４参照）がそれぞれ設けられる。
【００２４】
糸立棒５Ａ、５Ｂは、それぞれ、上糸が巻回された糸駒（図示略）の挿入孔に挿入された状態で、糸駒を保持する。図４、図５に示すように、糸立棒５Ａ、５Ｂは、それぞれ棒状を有する。糸立棒５Ａ、５Ｂの長さは同一である。糸立棒５Ａ、５Ｂは、それぞれ、延伸方向と直交する回転軸を中心として、糸立台５０に対して回転可能に設けられる。糸立棒５Ａ、５Ｂは、それぞれ、異なる２つの位置の間で切り替え可能である。以下、図４に示す糸立棒５Ａ、５Ｂのそれぞれの位置を、「第１位置」といい、図５に示す糸立棒５Ａ、５Ｂのそれぞれの位置を、「第２位置」という。糸立棒５Ａは、糸立台５０の左右方向中央よりも左側、且つ前後方向中央の位置Ａｐで、糸立台５０の内部で回転可能に支持される。糸立棒５Ｂは、糸立台５０の左右方向中央よりも右側、且つ前後方向中央の位置Ｂｐで、糸立台５０の内部で回転可能に支持される。位置Ａｐ，Ｂｐは、左右方向に並ぶ。図４に示すように、糸立棒５Ａは、第１位置に配置された状態で、糸立台５０の位置Ａｐから上側に延びる。糸立棒５Ｂは、第１位置に配置された状態で位置Ｂｐから上側に延びる。糸立棒５Ａは、糸立棒５Ｂに対して左側に配置される。糸立棒５Ａ、５Ｂは左右方向に並んで配置される。
【００２５】
図４に示すように、糸立台５０の上面５０Ａに、下側に凹んだ第２溝５６Ａ、５６Ｂが設けられる。第２溝５６Ａは、位置Ａｐから右側に向けて、左右方向に沿って延びる。より具体的には、第２溝５６Ａは、位置Ａｐから右斜め前側に向けて延びる。第２溝５６Ａの深さは、位置Ａｐにおいて糸立棒５Ａの直径よりも僅かに大きい。第２溝５６Ａの深さは、位置Ａｐから離隔するに従って小さくなる。第２溝５６Ｂは、位置Ｂｐから左側に向けて、左右方向に沿って延びる。より具体的には、第２溝５６Ｂは、位置Ｂｐから左斜め後側に向けて延びる。第２溝５６Ｂの深さは、位置Ｂｐにおいて糸立棒５Ａの直径よりも僅かに大きい。第２溝５６Ｂの深さは、位置Ｂｐから離隔するに従って小さくなる。
【００２６】
図５に示すように、糸立棒５Ａは、第２位置に配置された状態で第２溝５６Ａに進入し、第２溝５６Ａと同一方向に延びる。なお、第２溝５６Ａは左右方向に沿って延びるので、糸立棒５Ａも左右方向に沿って延びる。より具体的には、糸立棒５Ａは、糸立台５０との接続部分の位置Ａｐから右側に向けて延びる。更に具体的には、糸立棒５Ａは、位置Ａｐから、位置Ａｐ側と反対側の端部（「糸立棒５Ａの先端」という。）に向けて、第２溝５６Ａに沿って右斜め前側に延びる。又、第２溝５６Ａの深さが、位置Ａｐから離隔するに従って小さくなる為、糸立棒５Ａの先端側の一部は糸立台５０の上面５０Ａよりも上側に突出する。
【００２７】
同様に、糸立棒５Ｂは、第２位置に配置された状態で第２溝５６Ｂに進入し、第２溝５６Ｂと同一方向に延びる。なお、第２溝５６Ｂは左右方向に沿って延びるので、糸立棒５Ｂも左右方向に沿って延びる。より具体的には、糸立棒５Ｂは、糸立台５０との接続部分の位置Ｂｐから左側に向けて延びる。更に具体的には、糸立棒５Ｂは、位置Ｂｐから、位置Ｂｐ側と反対側の端部（「糸立棒５Ｂの先端」という。）に向けて、第２溝５６Ｂに沿って左斜め後側に延びる。更に、第２溝５６Ｂの深さが、位置Ｂｐから離隔するに従って小さくなる為、糸立棒５Ｂの先端側の一部は糸立台５０の上面５０Ａよりも上側に突出する。
【００２８】
糸案内機構５Ｃは、第１位置に配置された糸立棒５Ａ、５Ｂのそれぞれに保持された糸駒（図示略）から繰り出される上糸を、後述の第２糸案内部５９Ａ、５９Ｂにより上側に案内する。図４、図５に示すように、糸案内機構５Ｃは、糸案内棒５７及び支持棒５８を有する。糸案内棒５７は棒状を有する。糸案内棒５７の長さは、糸立台５０の左右方向の長さと略同一であり、糸立棒５Ａ、５Ｂよりも長い。糸案内棒５７は、後述の支持棒５８を先端部に保持する。糸案内棒５７は、糸立台５０の上面５０Ａの４隅のうち右端且つ後端の隅の位置Ｃｐに設けられた突出部５５により、糸案内棒５７の延伸方向と直交する回転軸を中心として回転可能に支持される。糸案内棒５７は、回転により、２つの異なる位置の間で切り替え可能である。以下、図４に示す糸案内棒５７の位置を、「第３位置」といい、図５に示す糸案内棒５７の位置を、「第４位置」という。図４に示すように、糸案内棒５７は、第３位置に配置された状態で、糸立台５０の位置Ｃｐから上側に延びる。図５に示すように、糸案内棒５７は、第４位置に配置された状態で、糸立台５０の位置Ｃｐから上面５０Ａに沿って左側に向けて延びる。
【００２９】
支持棒５８は、屈曲した針金である。支持棒５８は、糸案内棒５７のうち位置Ｃｐ側と反対側の端部（以下、「糸案内棒５７の先端」という。）に設けられる。支持棒５８は、糸案内棒５７との接続部分の延伸方向と平行な回転軸を中心として、糸案内棒５７に対して回転可能である。支持棒５８は、２つの異なる位置の間で切り替え可能である。以下、図４に示す糸案内棒５７に対する支持棒５８の位置を、「第５位置」といい、図５に示す糸案内棒５７に対する支持棒５８の位置を、「第６位置」という。
【００３０】
図４に示すように、糸案内棒５７が第３位置に配置された状態で、第５位置に配置された支持棒５８は、糸案内棒５７の先端から前側に向けて延び、所定の曲折位置５８０で左側に曲折して更に延びる。以下、支持棒５８のうち曲折位置５８０に対して糸案内棒５７側の部分を、「第１部分５８Ａ」といい、曲折位置５８０に対して糸案内棒５７と反対側の部分を、「第２部分５８Ｂ」という。支持棒５８が第５位置に配置された状態で、第１部分５８Ａ及び第２部分５８Ｂの延びる方向（前後方向及び左右方向）は、それぞれ、糸案内棒５７の延びる方向（上下方向）と直交する。
【００３１】
支持棒５８の第２部分５８Ｂに、環状に湾曲した２つの部位が形成される。以下、これらの部位を、第２糸案内部５９Ａ、５９Ｂという。第２糸案内部５９Ａは、第１位置に配置された糸立棒５Ａに沿って上側に延びる仮想線Ｌ１と重なる。第２糸案内部５９Ｂは、第１位置に配置された糸立棒５Ｂに沿って上側に延びる仮想線Ｌ２と重なる。第２糸案内部５９Ａ、５９Ｂは、第５位置に配置された糸案内棒５７により、糸立台５０から上方に離隔した位置に保持される。
【００３２】
支持棒５８は、第５位置から、前側から見て時計回り方向に２７０度回転することで、第６位置に配置される。図５に示すように、支持棒５８の第１部分５８Ａが糸案内棒５７から延びる方向は、支持棒５８が第５位置に配置された状態と第６位置に配置された状態とで一致する。一方、第６位置に配置された支持棒５８の第２部分５８Ｂの延びる方向（左右方向）は、糸案内棒５７の延びる方向（左右方向）と平行になる。第６位置に配置された支持棒５８の第２部分５８Ｂは、糸案内棒５７が第４位置に配置された状態で、糸立台５０の上面５０Ａに沿って左右方向に延びる。
【００３３】
図６に示すように、第１溝５１Ａ、５１Ｂ、磁石５３Ａ、５３Ｂは、それぞれ、糸立台５０の下面５０Ｂに設けられる。第１溝５１Ａ、５１Ｂは、それぞれ、下面５０Ｂの前端部から後側に向けて直線状に延びる。第１溝５１Ａは、下面５０Ｂの左端部近傍に設けられる。第１溝５１Ｂは、下面５０Ｂの右端部近傍に設けられる。第１溝５１Ａ、５１Ｂは左右方向に並ぶ。第１溝５１Ａ、５１Ｂの間の左右方向の距離は、カバー３の基面３Ａに設けられた第１凸部３１Ａ、３１Ｂ（図３参照）の左右方向の距離と等しい。以下、第１凸部３１Ａ、３１Ｂ及び第１溝５１Ａ、５１Ｂを総称して、「位置決め部材Ｐ」という。
【００３４】
磁石５３Ａ、５３Ｂは、下面５０Ｂの２箇所に設けられる。より具体的には、磁石５３Ａ、５３Ｂは、下面５０Ｂの前後方向中央に左右方向に並んで配置される。磁石５３Ａ、５３Ｂの位置関係と、カバー３の上面１３Ａに設けられた磁石３３Ａ、３３Ｂの位置関係とは一致する。以下、磁石５３Ａ、５３Ｂを総称して「第２取付部５３」という。
【００３５】
＜カバー３に対する糸立装置５の着脱方法＞
ミシン１Ａのカバー３が、閉位置から開位置に切り替えられる。糸立装置５は、糸立棒５Ａ、５Ｂがそれぞれ第２位置に配置され、糸案内棒５７が第４位置に配置され、支持棒５８が第６位置に配置された状態（図５参照）で準備される。使用者は、開位置に配置された状態のカバー３の基面３Ａ（図２、図３参照）の上側に糸立装置５を載置する。このとき、位置決め部材Ｐ（図３、図６参照）の第１溝５１Ａ、５１Ｂ（図６参照）に第１凸部３１Ａ、３１Ｂ（図３参照）が係合し、カバー３の基面３Ａに対して糸立装置５が位置決めされる。又、第１取付部３３の磁石３３Ａ、３３Ｂ（図３参照）と、第２取付部５３の磁石５３Ａ、５３Ｂ（図６参照）との間に作用する磁力に応じ、糸立装置５はカバー３に対して装着される。図７に示すように、糸立装置５は、糸立棒５Ａ、５Ｂがそれぞれ第２位置に配置され、糸案内棒５７が第４位置に配置され、支持棒５８が第６位置に配置された状態で、カバー３に装着される。
【００３６】
使用者は、糸立台５０の上面５０Ａから突出する糸立棒５Ａ、５Ｂを摘まんで上側に引き上げる。糸立棒５Ａ、５Ｂは、第２位置から第１位置に切り替えられる（図８参照）。これにより、図８に示すように、糸立棒５Ａ、５Ｂは、カバー３の基面３Ａと直交して上側に延びた状態となるので、糸立棒５Ａ、５Ｂに糸駒を保持することが可能となる。なお、図９に示すように、カバー３の基面３Ａの上側に糸立装置５が載置された状態では、アーム部１３に設けられた第１糸案内部１８は、左右方向において、糸立棒５Ａよりも右側且つ糸立棒５Ｂよりも左側に配置される。つまり、第１糸案内部１８は、アーム部１３の延びる左右方向において、第１位置に切り替えられた糸立棒５Ａ、５Ｂの間に配置される。
【００３７】
次に、使用者は、糸立台５０の上面５０Ａに沿って延びる糸案内棒５７を摘まんで上側に引き上げる。糸案内棒５７は、第４位置から第３位置に切り替えられる（図８参照）。使用者は、糸案内棒５７と平行に延びる支持棒５８の第１部分５８Ａを摘まんで正面視時計回りに２７０度回転させる。支持棒５８は、第６位置から第５位置に切り替えられる（図８参照）。これにより、図８に示すように、糸立装置５の第２糸案内部５９Ａ、５９Ｂは、糸立棒５Ａ、５Ｂに保持された糸駒から上糸を上側に案内することが可能な状態となる。なお、第２糸案内部５９Ａ、５９Ｂにより案内された上糸は、アーム部１３の第１糸案内部１８及び第３糸案内部１７により更に案内されることによって、縫針まで案内される。
【００３８】
図９に示すように、開位置に配置された状態のカバー３の後端部を通って左右方向に延びる仮想線Ｘ３を定義する。なお、開位置に配置された状態のカバー３の前端部を通って左右方向に延びる仮想線は、カバー３の回転軸Ｘ１と一致する。更に、カバー３の前後方向中央を通って左右方向に延びる仮想線Ｘ２を更に定義する。回転軸Ｘ１と仮想線Ｘ２との間の前後方向の距離と、仮想線Ｘ２、Ｘ３の間の前後方向の距離とは一致する。この場合、開位置に配置された状態のカバー３に糸立装置５が装着された状態で、第１位置に配置された糸立棒５Ａ、５Ｂは、仮想線Ｘ２に対して回転軸Ｘ１側に配置される。
【００３９】
糸立装置５は、磁石３３Ａ、３３Ｂと磁石５３Ａ、５３Ｂとの間に作用する磁力に反して第２取付部５３（図６参照）が第１取付部３３（図３参照）から取り外されることにより、カバー３から脱離される。
【００４０】
＜上記実施形態の作用、効果＞
ミシン１Ａは、カバー３の基面３Ａに糸立装置５を有する。糸立装置５は、カバー３が開位置に配置された状態で、糸立棒５Ａ、５Ｂに糸駒を保持できる。つまり、ミシン１Ａでは、糸立装置５を装着するためにアーム部１３からカバー３を取り外す必要がない。このため使用者は、ミシン１Ａを、糸立装置５の使用が可能な状態とすることが容易に可能となる。
【００４１】
ミシン１Ａは、カバー３の基面３Ａに設けられた第１取付部３３と、糸立装置５に設けられた第２取付部５３とを備える。糸立装置５は、第２取付部５３が第１取付部３３に取り付けられることにより、カバー３に装着され、第２取付部５３が第１取付部３３から取り外されることにより、カバー３から脱離される。つまり、糸立装置５は、ミシン１Ａのカバー３から着脱可能である。このため使用者は、糸立装置５を使用して縫製を行う場合に糸立装置５をミシン１Ａに装着し、糸立装置５を使用しないで縫製を行う場合に糸立装置５をミシン１Ａから脱離できる。このため使用者は、糸立装置５の未使用時にミシン１Ａを省スペース化できる。
【００４２】
カバー３の第１取付部３３は磁石３３Ａ、３３Ｂを備え、糸立装置５の第２取付部５３は磁石５３Ａ、５３Ｂを備える。糸立装置５は、第１取付部３３と第２取付部５３との間に作用する磁石３３Ａ、３３Ｂ、５３Ａ、５３Ｂの磁力により、第２取付部５３が第１取付部３３に取り付けられる。このためミシン１Ａは、カバー３に対して着脱可能に装着される糸立装置５を、磁石３３Ａ、３３Ｂ、５３Ａ、５３Ｂにより容易に実現できる。
【００４３】
カバー３の基面３Ａ及び糸立装置５には、基面３Ａに対して糸立装置５を位置決めする位置決め部材Ｐが設けられる。ミシン１Ａは、カバー３に装着された状態の糸立装置５の位置を、位置決め部材Ｐにより安定化できる。
【００４４】
位置決め部材Ｐは、カバー３に設けられた第１凸部３１Ａ、３１Ｂ、及び、糸立装置５に設けられた第１溝５１Ａ、５１Ｂを有する。位置決め部材Ｐは、第１溝５１Ａに第１凸部３１Ａが係合し、且つ、第１溝５１Ｂに第１凸部３１Ｂが係合することにより、カバー３の基面３Ａに対して糸立装置５を位置決めする。これにより、ミシン１Ａは、基面３Ａに対して位置決めされた糸立装置５の位置がずれる可能性を軽減できる。
【００４５】
糸立装置５は、糸立棒５Ａ、５Ｂが設けられる糸立台５０を有する。糸立棒５Ａ、５Ｂは、それぞれ、カバー３が開位置に配置された状態で、糸立台５０から上側に延びた第１位置と、アーム部１３の延びる方向に沿って延びた第２位置とに切り替え可能である。このため、使用者は、糸立装置５を使用する場合に糸立棒５Ａ、５Ｂをそれぞれ第１位置とすることにより、糸立棒５Ａ、５Ｂに保持された駒糸の上糸を用いて縫製を実行できる。一方、使用者は、糸立装置５を使用しない状態で糸立棒５Ａ、５Ｂをそれぞれ第２位置とすることにより、ミシン１Ａを小型化できる。
【００４６】
糸立棒５Ａ、５Ｂは、第１位置に配置された状態で、アーム部１３の延びる方向である左右方向に並んで配置される。糸立棒５Ａ、５Ｂがそれぞれ第２位置に配置された状態で、糸立棒５Ａは、糸立台５０との接続部分に対応する位置Ａｐから右側に向けて延び、糸立棒５Ｂは、糸立台５０との接続部分に対応する位置Ｂｐから左側に向けて延びる。このとき、糸立棒５Ａ、５Ｂは、左右方向において一部が重複する。このため使用者は、糸立棒５Ａ、５Ｂをそれぞれ第２位置に配置することにより、ミシン１Ａにおけるアーム部１３の延びる方向（左右方向）の大きさを小型化できる。
【００４７】
第１糸案内部１８は、糸立棒５Ａ、５Ｂのそれぞれに保持された糸駒から繰り出される上糸を案内する。第１糸案内部１８は、左右方向において、第１位置に配置された糸立棒５Ａ、５Ｂの間に配置される。つまり、第１糸案内部１８は、左右方向において位置Ａｐ、Ｂｐの間に配置される。この場合、ミシン１Ａは、第１糸案内部１８により上糸が案内される場合に作用する力が、糸立棒５Ａの糸駒から上糸が繰り出される場合と、糸立棒５Ｂの糸駒から上糸が繰り出される場合とで不均衡となる可能性を軽減できる。このためミシン１Ａは、糸立棒５Ａ、５Ｂの何れの糸駒からも上糸をスムーズに繰り出すことができる。
【００４８】
糸立装置５は、回転軸Ｘ１を介してアーム部１３により支持される。ここで、糸立棒５Ａ、５Ｂは、カバー３が開位置に配置された状態で、脚柱部１２及びアーム部１３のそれぞれの延びる方向（上下方向及び左右方向）と直交する前後方向において、カバー３の中央を通る仮想線Ｘ２に対して、カバー３の回転軸Ｘ１側に配置される。従って、ミシン１Ａは、仮想線Ｘ２に対してカバー３の回転軸Ｘ１側と反対側に糸立棒５Ａ、５Ｂが配置される場合と比べて、アーム部１３により糸立装置５を安定的に支持できる。
【００４９】
糸案内棒５７は、糸立台５０から上側に延びた第３位置と、左右方向に沿って延びた第４位置とに切り替え可能である。このため使用者は、糸立装置５を使用しない状態で糸案内棒５７を第４状態とすることにより、ミシン１Ａを小型化できる。
【００５０】
糸立棒５Ａ、５Ｂは、第１位置に配置された状態で上下方向に延びる。この方向は、上面１３Ａ及び基面３Ａと直交する方向であり、且つ、脚柱部１２の延びる方向と平行な方向である。この場合、糸立棒５Ａ、５Ｂは、保持された状態の糸駒から受ける力を、カバー３の基面３Ａにより受けることができる。従って、ミシン１Ａは、糸立棒５Ａ、５Ｂが上面１３Ａと平行に延びる場合と比べて、糸駒を保持するために必要とされる強度を軽減できる。
【００５１】
＜第１変形例＞
図１０、図１１を参照し、本発明の第１変形例に係るミシン１Ｂについて説明する。ミシン１Ｂがミシン１Ａと異なる点は、カバー３に第２凸部３２Ｂが設けられ、糸立装置６が装着される点である。糸立装置６は、貫通孔５２Ｂ及び伝達部５４Ｂを有する点で糸立装置５と異なる。その他の構成は、ミシン１Ａと同一である。以下、ミシン１Ａ及び糸立装置５と同一の構成については、同一符号を付し、説明を省略する。
【００５２】
図１０に示すように、糸立装置６の貫通孔５２Ｂは、糸立装置６の糸立台５０の下面５０Ｂと第２溝５６Ｂとの間に亙って連通する。貫通孔５２Ｂは上下方向に延びる。貫通孔５２Ｂにより下面５０Ｂに形成される開口を、「第１開口５２１Ｂ」という。貫通孔５２Ｂにより第２溝５６Ｂに形成される開口を、「第２開口５２２Ｂ」という。貫通孔５２Ｂは、第１開口５２１Ｂ及び第２開口５２２Ｂの間に亙って上下方向に延びる。伝達部５４Ｂは棒状を有し、貫通孔５２Ｂ内に配置される。伝達部５４Ｂは、貫通孔５２Ｂに沿って上下方向に移動可能である。
【００５３】
第２凸部３２Ｂは、カバー３の基面３Ａから突出する。カバー３が開位置に配置された状態で、第２凸部３２Ｂは上側に突出する。第２凸部３２Ｂは、カバー３に糸立装置６が装着された状態で、貫通孔５２Ｂの下側に配置される。
【００５４】
なお、図示されていないが、糸立装置６は、下面５０Ｂ及び第２溝５６Ａの間に亙って連通する貫通孔、及び、この貫通孔内に配置される伝達部を更に有する。又、カバー３は、第２溝５６Ａに連通する貫通孔の下側に配置された第２凸部を更に有する。
【００５５】
糸立棒５Ｂが第２位置に配置された状態で糸立装置６がカバー３に装着された場合、第２凸部３２Ｂは、貫通孔５２Ｂの第１開口５２１Ｂに挿通する（図１１参照）。貫通孔５２Ｂ内に配置された伝達部５４Ｂの下端部に、カバー３の第２凸部３２Ｂが下側から接触する。伝達部５４Ｂは上側に移動し、第２溝５６Ｂの第２開口５２２Ｂから上端部が突出する。伝達部５４Ｂは、第２溝５６Ｂ内に配置された糸立棒５Ｂに対して第１位置に向かう方向の力を伝達する。糸立装置６の上面５０Ａに対する糸立棒５Ｂの突出量は増大するので、使用者は糸立棒５Ｂを摘まんで引き上げやすくなる。図１１に示すように、使用者が糸立棒５Ｂを摘まんで引き上げることにより、糸立棒５Ｂは第２位置から第１位置に切り替えられる。詳細説明は省略するが、糸立棒５Ａについても同様である。
【００５６】
＜第１変形例の作用、効果＞
ミシン１Ｂでは、カバー３に対する糸立装置６の装着動作により、第１開口５２１Ｂに第２凸部３２Ｂが挿通し、糸立棒５Ｂを第２位置から第１位置に向けて移動させて第２溝５６Ｂから突出させることができる。ミシン１Ｂの使用者は、糸立装置６をカバー３に装着する操作を行うだけで、糸立棒５Ｂを、第２溝５６Ｂから大きく突出させることができる。この場合、使用者は糸立棒５Ｂを容易に摘まんで第１位置まで移動させることができる。糸立棒５Ａについても同様である。
【００５７】
＜第２変形例＞
図１２、図１３を参照し、本発明の第２変形例に係るミシン１Ｃについて説明する。ミシン１Ｃがミシン１Ａと異なる点は、カバー３に糸立装置７が直接設けられ、着脱不能である点である。その他の構成は、ミシン１Ａと同一である。以下、ミシン１Ａ及び糸立装置５と同一の構成については、同一符号を付し、説明を省略する。
【００５８】
糸立装置７は、糸立装置５（図４、図５参照）と同じ構成の糸立棒５Ａ、５Ｂ、糸案内機構５Ｃ（糸案内棒５７、支持棒５８（第２糸案内部５９Ａ、５９Ｂ））、突出部５５、第２溝５６Ａ、５６Ｂを有する。第２溝５６Ａ、５６Ｂ、及び突出部５５は、カバー３の基面３Ａに直接設けられる。糸立棒５Ａ、５Ｂは、それぞれ、延伸方向と直交する回転軸を中心として、カバー３に対して回転可能に支持される。糸立棒５Ａ、５Ｂは、それぞれ、第１位置（図１３参照）と第２位置（図１２参照）とに切り替え可能である。糸案内棒５７は、カバー３に設けられた突出部５５により、糸案内棒５７の延伸方向と直交する回転軸を中心として回転可能に支持される。糸案内棒５７は、第３位置（図１３参照）と第４位置（図１２参照）とに切り替え可能である。支持棒５８は、第１部分５８Ａの延伸方向と平行な回転軸を中心として、糸案内棒５７に回転可能に支持される。支持棒５８は、第５位置（図１３参照）と第６位置（図１２参照）とに切り替え可能である。
【００５９】
使用者は、ミシン１Ｃの糸立装置７を使用可能な状態とする場合、はじめにカバー３を閉位置から開位置に切り替える。カバー３の基面３Ａは上側を向く。図１２に示すように、糸立装置７は、糸立棒５Ａ、５Ｂがそれぞれ第２位置に配置され、糸案内棒５７が第４位置に配置され、支持棒５８が第６位置に配置された状態で露出する。使用者は、基面３Ａから突出する糸立棒５Ａ、５Ｂを摘まんで上側に引き上げ、糸立棒５Ａ、５Ｂを第２位置から第１位置に切り替える。これにより、図１３に示すように、糸立棒５Ａ、５Ｂは、カバー３の基面３Ａと直交して上側に延びた状態となり、糸立棒５Ａ、５Ｂに糸駒を保持することが可能となる。使用者は、基面３Ａに沿って延びる糸案内棒５７を摘まんで上側に引き上げ、糸案内棒５７を第４位置から第３位置に切り替える。使用者は、糸案内棒５７と平行に延びる支持棒５８の第１部分５８Ａを摘まんで正面視時計回りに２７０度回転させ、支持棒５８を第６位置から第５位置に切り替える。これにより、図１３に示すように、糸立装置５の第２糸案内部５９Ａ、５９Ｂは、糸立棒５Ａ、５Ｂに保持された糸駒から上糸を上側に案内することが可能な状態となる。以上により、糸立装置７は使用可能な状態となる。
【００６０】
一方、使用者は、糸立装置７を使用しない場合、カバー３を閉位置に配置可能とするために、支持棒５８を第５位置から第６位置に切り替え、糸案内棒５７を第３位置から第４位置に切り替え、糸立棒５Ａ、５Ｂをそれぞれ第１位置から第２位置に切り替える。これにより、糸立装置７は、アーム部１３の上面１３Ａとカバー３の基面３Ａとの間に収容可能となる。使用者は、カバー３を回転させることにより、カバー３を開位置から閉位置に切り替える。
【００６１】
＜第２変形例の作用、効果＞
第２変形例において、糸立装置７はカバー３から着脱不能である。このため、使用者は、糸立装置７の未使用時において糸立装置７を保管するスペースの確保が不要となる。
【００６２】
＜その他の変形例＞
本発明は上記実施形態に限定されず、種々の変更が可能である。以下では、ミシン１Ａ（糸立装置５）を例に挙げて変形例を説明するが、ミシン１Ａだけでなく、ミシン１Ｂ（糸立装置）、ミシン１Ｃ（糸立装置７）についても適宜適用可能であることはいうまでもない。
【００６３】
カバー３の第１取付部３３にのみ磁石３３Ａ、３３Ｂが設けられ、糸立装置５の第２取付部５３に磁石５３Ａ、５３Ｂは設けられていなくてもよい。例えば第２取付部５３として、磁石３３Ａ、３３Ｂとの間に磁力を生じさせることができる強磁性体材料（鉄等）が用いられてもよい。反対に、糸立装置５の第２取付部５３にのみ磁石５３Ａ、５３Ｂが設けられ、カバー３の第１取付部３３に磁石３３Ａ、３３Ｂは設けられていなくてもよい。例えば第１取付部３３として、磁石５３Ａ、５３Ｂとの間に磁力を生じさせることができる強磁性体材料（鉄等）が用いられてもよい。第１取付部３３及び第２取付部５３は、磁力を用いずにカバー３に糸立装置５を取り付けてもよい。例えば、第１取付部３３及び第２取付部５３は、互いに係合可能な形状を有していてもよい。糸立装置５は、第１取付部３３及び第２取付部５３が互いに係合することにより、カバー３に取り付けられてもよい。第１取付部３３及び第２取付部５３は互いに螺合可能な螺子及び螺子穴であってもよい。また、カバー３に取付部が設けられ、糸立装置５に取付部が設けられていなくてもよい。この場合、カバー３の取付部は、糸立装置５の糸立台５０の外周に対応したリブを有し、糸立装置５は、そのリブで囲われる領域内に糸立台５０が配置されることで、カバー３に取り付けられてもよい。
【００６４】
位置決め部材Ｐは、カバー３の基面３Ａに設けられた第１溝と、糸立装置５に設けられた第１凸部とを有していてもよい。位置決め部材Ｐは、第１溝及び第１凸部以外の構成により、カバー３の基面３Ａに対する糸立装置５の位置決めを行ってもよい。例えば位置決め部材Ｐは、カバー３の基面３Ａ及び糸立装置５のそれぞれに設けられた磁石の磁力により、カバー３の基面３Ａに対する糸立装置５の位置決めを行ってもよい。ミシン１Ａは位置決め部材Ｐを有していなくてもよい。
【００６５】
第２位置に配置された糸立棒５Ａは、位置Ａｐから左側に向けて延びてもよい。第２位置に配置された糸立棒５Ｂは、位置Ｂｐから右側に向けて延びてもよい。糸立棒５Ａ、５Ｂは、それぞれが第２位置に配置された状態で、左右方向において重複しなくてもよい。
【００６６】
第１糸案内部１８は、左右方向において、第１位置に配置された糸立棒５Ａ、５Ｂの間に配置されなくてもよい。例えば、第１糸案内部１８はアーム部１３に設けられなくてもよい。この場合、第１糸案内部１８の代わりに第３糸案内部１７が、糸立棒５Ａ、５Ｂにより保持された糸駒から繰り出された上糸を縫糸に向けて直接案内してもよい。
【００６７】
糸立棒５Ａ、５Ｂの本数は２つに限定されず、１つでもよいし、３つ以上でもよい。糸立棒５Ａ、５Ｂは、第１位置で固定され、第２位置に切り替え不能であってもよい。糸案内棒５７は、第３位置で固定され、第４位置に切り替え不能であってもよい。糸立装置５は、カバー３のうち仮想線Ｘ２に対して回転軸Ｘ１と反対側に設けられてもよい。糸立装置５は、糸立棒５Ａ、５Ｂのみ有し、糸案内機構５Ｃを有していなくてもよい。
【００６８】
第１変形例において、貫通孔５２Ｂ内に伝達部５４Ｂは設けられていなくてもよい。例えば、カバー３の第２凸部３２Ｂは、貫通孔５２Ｂの長さより長くてもよい。カバー３に糸立装置６が装着された場合、第２凸部３２Ｂは、貫通孔５２Ｂに挿通して第２溝５６Ｂから上側に突出してもよい。第２凸部３２Ｂは、第２溝５６Ｂに配置された糸立棒５Ｂを第２位置から第１位置に向けて直接移動させてもよい。
【００６９】
第１位置に配置された糸立棒５Ａ、５Ｂのそれぞれの延びる方向は、カバー３の基面３Ａに対して厳密に直交していなくてよく、基面３Ａと直交する方向に対して傾斜していてもよい。
【００７０】
＜その他＞
１Ａ，１Ｂ，１Ｃ：ミシン、３：カバー、３Ａ：基面、５，６，７：糸立装置、５Ａ，５Ｂ：糸立棒、１１：ベッド部、１２：脚柱部、１３：アーム部、１７：第３糸案内部、１８：第１糸案内部、３１Ａ，３１Ｂ：第１凸部、３２Ｂ：第２凸部、３３：第１取付部、３３Ａ，３３Ｂ：磁石、５０：糸立台、５１Ａ，５１Ｂ：第１溝、５２Ｂ：貫通孔、５３：第２取付部、５３Ａ，５３Ｂ：磁石、５４Ｂ：伝達部、５５：突出部、５６Ａ，５６Ｂ：第２溝、５７：糸案内棒、５９Ａ，５９Ｂ：第２糸案内部、５２１Ｂ，５２２Ｂ：第２開口、Ｐ：位置決め部材、Ｘ１：回転軸
【図１】
2019208548.tif 000003
【図２】
2019208548.tif 000004
【図３】
2019208548.tif 000005
【図４】
2019208548.tif 000006
【図５】
2019208548.tif 000007
【図６】
2019208548.tif 000008
【図７】
2019208548.tif 000009
【図８】
2019208548.tif 000010
【図９】
2019208548.tif 000011
【図１０】
2019208548.tif 000012
【図１１】
2019208548.tif 000013
【図１２】
2019208548.tif 000014
【図１３】
2019208548.tif 000015